(57)【要約】【課題】注ぎ口を開閉する弁を開放方向に保持して注ぎ中に弁の開放操作を行うことなく楽な注ぎ出しを可能にする。【解決手段】注ぎ口１が筒状で先端に吐出口２を設け、同吐出口２と容器内部とを連通させる通路３を設け、同通路３の一部に可撓性を持たせて常時は復元力で通路３を閉鎖する弁部４を形成し、引張により弁部４を変位させて通路３を開放させる引張操作部６を設け、同引張操作部６を通路３開放の引張状態に保持する手段として、注ぎ口１の周縁を外方に張り出させて縁片５を形成し、引張操作部６の引張後の通路３開放状態の位置で縁片５に掛止できる掛止片７を引張操作部６後端に設けた。【選択図】　　　　　図２
2004042912.tif 000002
【特許請求の範囲】
【請求項１】
液体又は粉粒体を収容する容器に設けられた液体又は粉粒体を注ぎ出すための注ぎ口構造であって、注ぎ口が筒状で先端に吐出口を設け、同吐出口と容器内部とを連通させる通路を設け、同通路の一部に可撓性を持たせて常時は復元力で通路を閉鎖する弁部を形成し、引張により弁部を変位させて前記通路を開放させる引張操作部を設け、同引張操作部を通路開放の引張状態に保持する保持手段を設け、同保持手段で通路を開放状態に保持後引張操作部を操作することなく液体又は粉粒体の注ぎ出しを可能にしたことを特徴とする容器の注ぎ口構造。
【請求項２】
保持手段が、注ぎ口の周縁を外方に張り出させて縁片を形成し、引張操作部の引張後の通路開放状態の位置で前記縁部に掛止できる掛止片を引張操作部に設け、掛止片を縁片に掛止して引張操作部を引張状態に保持する構造としたものである請求項１記載の容器の注ぎ口構造。
【請求項３】
保持手段が、注ぎ口の外面にピンを突設し、引張操作部に通路開放状態の位置で前記ピンを挿通するピン孔を設け、ピンをピン孔に挿通して引張操作部を引張状態に保持する構造としたものである請求項１記載の容器の注ぎ口構造。
【請求項４】
保持手段が、注ぎ口の外面にＴ字状の掛止孔を開孔した掛止受板を立設し、引張操作部が前記Ｔ字状の掛止孔の縦開孔部に挿通できる幅とし、引張操作部の途中に前記Ｔ字状の掛止孔の縦開孔部より拡幅且つ横開孔部に挿通できる幅の掛止片を通路開放状態の位置で掛止片が掛止受板より後方に位置するように設け、引張操作部をＴ字状の掛止孔の横開孔部を通しながら引張した後引張操作部をＴ字状の掛止孔の縦開孔部に挿入して掛止片を掛止受板に掛止することで引張操作部の引張状態を保持できる構造としたものである請求項１記載の容器の注ぎ口構造。
【請求項５】
引張操作部にピン孔を設け、同ピン孔に挿通するピンを注ぎ口外面の通路開放状態となる位置に立設した請求項４記載の容器の注ぎ口構造。
【請求項６】
保持手段が、注ぎ口の後端の一部を後方に突出させて下方に折曲させた一対の引掛片を所定間隔おいて形成し、引張操作部の引張後の通路開放状態の位置で前記各引掛片に引っ掛ける引掛軸を引張操作部の後端に横設し、引掛軸を引掛片に引っ掛けて引張操作部を引張状態に保持する構造としたものである請求項１記載の容器の注ぎ口構造。
【請求項７】
引張操作部の後部に平板状の掴み部を設け、同掴み部の片面又は両面に凹凸からなる滑り止めを設けた請求項１〜６いずれか記載の容器の注ぎ口構造。
【発明の詳細な説明】
【０００１】
【発明の属する技術分野】
本発明は、容器内の液体又は粉粒体を必要に応じて注ぎ出すために設けられる注ぎ口の構造に関し、詳しくは注ぎ口を開閉する弁を開放方向に保持して注ぎ中に弁の開放操作を行うことなく楽な注ぎ出しを可能とする技術に関する。
【０００２】
【従来の技術】
従来、ジュース缶や飲料用紙パック，一斗缶等の液体又は粉粒体を収容する容器にはそれぞれ独自の注ぎ口とそれを封止する蓋を備えている。これらは、一度開封すると蓋が開封前の状態に戻らない構造になっているものが多く、液体又は粉粒体が残っている容器を再保存する際液体又は粉粒体が外気に触れて痛み易くなる問題があった。
そこで、液体又は粉粒体を必要に応じて注ぎ出し、保存時は注ぎ口を封止して外気と遮断できる注ぎ口具を容器に脱着自在又は一体的に取り付けた容器の注ぎ口構造が公知で、実用に供している。
一例を示せば、図１８，１９に示すように吐出口２２に連通する通路２３の途中に軟質プラスチック等からなる可撓性を有する常閉の弁部２４を閉鎖方向に付勢するように開閉自在に設け、同弁部２４の一箇所を引張により変位させて前記通路２３を開く引張操作部２６を設けた注ぎ口２１があり、注ぎ時は引張操作部２６の引張により通路２３を開いて液体又は粉粒体を注ぎ、保存する際は弁部２４を付勢力で元の形状に戻して通路２３を閉めるもので、構造がシンプルで低コストで提供できるものである。
ところで、前記構造の注ぎ口２１は注ぎ時に引張操作部２６を指等で常に引張させておくことが必要で、多量の液体又は粉粒体を注ぎ出す場合は労力を伴い、容器が大きくて重い場合は容器を無理な持ち方をしたりして求める定量を注ぐことが難しいものであった。
【０００３】
【発明が解決しようとする課題】
本発明が解決しようとする課題は、従来のこれらの問題点を解消し、注ぎ口を開閉する弁を開放方向に保持して注ぎ中に開放操作を行うことなく楽な注ぎ出しを可能とする容器の注ぎ口構造を提供することにある。
【０００４】
【課題を解決するための手段】
かかる課題を解決した本発明の構成は、
１）　液体又は粉粒体を収容する容器に設けられた液体又は粉粒体を注ぎ出すための注ぎ口構造であって、注ぎ口が筒状で先端に吐出口を設け、同吐出口と容器内部とを連通させる通路を設け、同通路の一部に可撓性を持たせて常時は復元力で通路を閉鎖する弁部を形成し、引張により弁部を変位させて前記通路を開放させる引張操作部を設け、同引張操作部を通路開放の引張状態に保持する保持手段を設け、同保持手段で通路を開放状態に保持後引張操作部を操作することなく液体又は粉粒体の注ぎ出しを可能にしたことを特徴とする容器の注ぎ口構造
２）　保持手段が、注ぎ口の周縁を外方に張り出させて縁片を形成し、引張操作部の引張後の通路開放状態の位置で前記縁部に掛止できる掛止片を引張操作部に設け、掛止片を縁片に掛止して引張操作部を引張状態に保持する構造としたものである前記１）記載の容器の注ぎ口構造
３）　保持手段が、注ぎ口の外面にピンを突設し、引張操作部に通路開放状態の位置で前記ピンを挿通するピン孔を設け、ピンをピン孔に挿通して引張操作部を引張状態に保持する構造としたものである前記１）記載の容器の注ぎ口構造
４）　保持手段が、注ぎ口の外面にＴ字状の掛止孔を開孔した掛止受板を立設し、引張操作部が前記Ｔ字状の掛止孔の縦開孔部に挿通できる幅とし、引張操作部の途中に前記Ｔ字状の掛止孔の縦開孔部より拡幅且つ横開孔部に挿通できる幅の掛止片を通路開放状態の位置で掛止片が掛止受板より後方に位置するように設け、引張操作部をＴ字状の掛止孔の横開孔部を通しながら引張した後引張操作部をＴ字状の掛止孔の縦開孔部に挿入して掛止片を掛止受板に掛止することで引張操作部の引張状態を保持できる構造としたものである前記１）記載の容器の注ぎ口構造
５）　引張操作部にピン孔を設け、同ピン孔に挿通するピンを注ぎ口外面の通路開放状態となる位置に立設した前記４）記載の容器の注ぎ口構造
６）　保持手段が、注ぎ口の後端の一部を後方に突出させて下方に折曲させた一対の引掛片を所定間隔おいて形成し、引張操作部の引張後の通路開放状態の位置で前記各引掛片に引っ掛ける引掛軸を引張操作部の後端に横設し、引掛軸を引掛片に引っ掛けて引張操作部を引張状態に保持する構造としたものである前記１）記載の容器の注ぎ口構造
７）　引張操作部の後部に平板状の掴み部を設け、同掴み部の片面又は両面に凹凸からなる滑り止めを設けた前記１）〜６）いずれか記載の容器の注ぎ口構造
にある。
【０００５】
【作用】
本発明によれば、注ぎ時は引張操作部を引張して弁部を変位させ、保持手段で引張操作部を通路開放状態の位置で保持し、引張操作部から手を放して注ぎ中に開操作を行うことなく液体又は粉粒体の注ぎ出しが楽に行われる。
液体又は粉粒体の保存時は、保持手段を解除して引張操作部を元の位置に戻すことで弁部が復元力による付勢で通路を閉め、容器内の液体又は粉粒体が外気と遮断される。
【０００６】
【発明の実施の形態】
本発明の保持手段としては、注ぎ口の周縁を外方に張り出させて縁片を形成し、引張操作部の後端に前記縁片に掛止する掛止部を設け、引張操作部を引張させて弁部を変位後、掛止部を縁片に掛止して通路の開放状態を保持できるようにした構成がある。
また、注ぎ口の後方にピンを立設し、引張操作部に前記ピンを挿通するピン孔を設け、引張操作部を引張させて弁部を変位後、ピンをピン孔に挿通して通路を開放状態に保持できるようにした構成がある。
また、注ぎ口の後方に掛止孔を開孔した掛止受板を立設し、同掛止受板の掛止孔を横方向に開孔した横開孔部と同横開孔部と連通するように縦方向に開孔した縦開孔部とからなる略Ｔ字状とし、引張操作部の幅を前記掛止孔の縦開孔部に挿通できる幅にし、引張操作部の途中に縦開孔部より拡幅で且つ横開孔部に挿通できる幅の掛止片を設け、引張操作部を横開孔部に掛止片を通しながら引張して弁部を変位後、引張操作部を下方に操作して掛止孔の縦開孔部に嵌挿し、引張操作部から手を放して掛止片を掛止受板に掛止して通路を開放状態に保持できるようにした構成がある。
さらに、注ぎ口の後端の一部を後方に突出させて下方に折曲させた一対の引掛片を所定間隔おいて形成し、引張操作部の引張後の通路開放状態の位置で前記各引掛片に引っ掛ける引掛軸を引張操作部の後端に横設し、引掛軸を引掛片に引っ掛けて引張操作部を引張状態に保持できるようにした構成がある。
これらの保持手段は、取り付けられる容器の用途やコストに応じて任意に選ばれる。
弁部としては、軟質を示すプラスチックが一般的に用いられ、閉鎖状態で通路を密封して漏出や外気の侵入を効果的に防止できて好ましい。
引張操作部としては、軟質プラスチックを用いて弁部と一体成形したものが破断等を防止できるので望ましい。引張操作部は環状に形成して指を掛止できるようにしたものや、凹凸からなる滑り止めを形成した平板状のものがあり、いずれも容易な操作で力を必要としない形状が望ましい。
本発明の容器の注ぎ口構造は、主としてジュース缶や飲料用紙パック等や調味料等の容器に好ましく適用できるが、その他塗料や接着剤、溶剤等が収容される一斗缶等の容器にも有用である。
以下、本発明の各実施例を図面に基づいて具体的に説明する。
【０００７】
【実施例】
実施例１（図１〜４参照）
図１〜４に示す実施例１は、ジュース缶用の注ぎ口に本発明の一例を適用した例である。
図１は、実施例１の注ぎ口の斜視図である。
図２は、図１のＡ−Ａ断面図である。
図３は、実施例１の注ぎ口をジュース缶に装着した状態を示す斜視図である。
図４は、実施例１の注ぎ口の使用状態を示す説明図である。
図中、１は注ぎ口、１ａは硬質部、１ｂは軟質部、２は吐出口、３は通路、４は弁部、５は縁片、６は引張操作部、６ａは掴み部、７は掛止片、８は嵌着部、９はジュース缶からなる容器、Ｗは液体である。
【０００８】
実施例１では、図２に示すように通路３の途中に軟質プラスチックからなる断面湾状の弁部４を復元力による付勢で閉鎖するように設け、弁部４の表面側底部に引張操作部６を一体的に形成するとともに同引張操作部６の後端に断面コ字状の掛止片７を形成して注ぎ口１を構成し、これを図３に示すように開封した容器９の上端に嵌着部８で装着している。
【０００９】
実施例１では、常時は弁部４が復元力による付勢で通路３に密着して閉鎖している。図４（ａ）に示すように引張操作部６の掴み部６ａを掴んで後方上側に引っ張ると、図４（ｂ）に示すように弁部４の一部が上方に変位して通路３が開放される。この状態で引張操作部６の掛止片７を注ぎ口１の縁片５に掛止すると、弁部４の変位による通路３の開放状態が保持され、その後、引張操作部６を操作することなく容器９内部の液体Ｗを吐出口２から注ぐことが可能となる。注ぎ後は掛止片７を縁片５から解除することで弁部４が復元力による付勢で再び通路３を閉鎖し、保存可能な状態に戻る。
【００１０】
実施例２（図５〜８参照）
図５〜８に示す実施例２は、ペットボトル用の注ぎ口に本発明の一例を適用した例である。
図５は、実施例２の注ぎ口の斜視図である。
図６は、図５のＡ−Ａ断面図である。
図７は、実施例２の注ぎ口をペットボトルに装着した状態を示す斜視図である。
図８は、実施例２の注ぎ口の使用状態を示す説明図である。
図中、１０はピン、１１はピン孔、１２は螺刻部、１３はペットボトルからなる容器である。
【００１１】
実施例２では、図６に示すように弁部４の後方に注ぎ口１上端より高いピン１０を立設するとともに引張操作部６の途中に楕円状のピン孔１１を形成し、通路３の下方内面にはペットボトルの口部外面にねじ込む螺刻部１２を形成して注ぎ口１を構成し、これを図７に示すように容器９上部の口先に装着している。
【００１２】
図８（ａ），（ｂ）に示すように引張操作部６の掴み部６ａを掴んで後方上側に引っ張ると、弁部４の一部が上方に変位して通路３が開放される。この状態で引張操作部６のピン孔１１をピン１０に挿通すると通路３の開放状態が保持され、引張操作部６を操作することなく注ぎ出しが可能となる。注ぎ後は引張操作部６を上方に持ち上げてピン孔１１をピン１０から外すことで、弁部４の復元力による付勢で通路３が閉鎖される。
その他、符号、構成は実施例１の容器の注ぎ口構造と同じである。
【００１３】
実施例３（図９〜１３参照）
図９〜１３に示す実施例３は、塗料用の一斗缶の注ぎ口に本発明の一例を適用した例である。
図９は、実施例３の注ぎ口の斜視図である。
図１０は、図９のＡ−Ａ断面図である。
図１１は、実施例３の注ぎ口を一斗缶に装着した状態を示す斜視図である。
図１２，１３は、実施例３の注ぎ口の使用状態を示す説明図である。
図中、１４は掛止受板、１５は掛止孔、１５ａは横開孔部、１５ｂは縦開孔部、１６は掛止片、１７は一斗缶からなる容器である。
【００１４】
実施例３では、図１０に示すように弁部４の略中央にＴ字状の掛止孔１５を開孔した掛止受板１４を立設するとともにその後方に注ぎ口１上端より高いピン１０を立設し、引張操作部６の途中には楕円状のピン孔１１を形成するとともにその前方両縁に三角状の掛止片１６を形成している。掛止孔１５は図１３（ａ），（ｂ）に示すように横開孔部１５ａを引張操作部６及び掛止片１６が挿通できる幅にするとともに、縦開孔部１５ｂを引張操作部６のみが挿通できる幅にして注ぎ口１を構成し、これを図１１に示すように容器１７隅部の注ぎ口部に装着している。
【００１５】
実施例３では、図１２（ａ），（ｂ）に示すように引張操作部６の掴み部６ａを掴んで後方上側に引っ張ると、弁部４の一部が上方に変位して通路３が開放される。このとき、図１３（ａ）に示すように掛止片１６が横開孔部１５ａを通過させて掛止受板１４の後方に到来させた後、図１３（ｂ）に示すように引張操作部６を下げて縦開孔部１５ｂに挿入させ、掛止片１６を掛止受板１４に掛止させるとともにピン１０をピン孔１１に挿通させることで通路３が開放状態に保持され、引張操作部６を操作することなく注ぎ出しが可能となる。注ぎ後は引張操作部６を上方に持ち上げてピン孔１１をピン１０から外すとともに引張操作部６を縦開孔部１５ｂから外し、弁部４の復元力による付勢で掛止片１６が横開孔部１５ａを通過して引張操作部６が元の位置に戻り、通路３が閉鎖される。
その他、符号、構成は実施例１の容器の注ぎ口構造と同じである。
【００１６】
実施例４（図１４〜１７参照）
図１４〜１７に示す実施例４は、飲料用紙パックの注ぎ口に本発明の一例を適用した例である。
図１４は、実施例４の注ぎ口の斜視図である。
図１５は、図１４のＡ−Ａ断面図である。
図１６は、実施例４の注ぎ口を飲料用紙パックに装着した状態を示す斜視図である。
図１７は、実施例４の注ぎ口の使用状態を示す説明図である。
図中、１８は引掛片、１９は引掛軸、１９ａは保持体、２０は飲料用紙パックからなる容器である。
【００１７】
実施例４では、図１４，１５に示すように軟質部１ｂの上端後方縁部に下方に折曲した一対の引掛片１８を所定間隔をおいて形成し、引張操作部６の後端に前記各引掛片１８に引っ掛ける引掛軸１９を横設するとともにその両軸端に引掛後脱落を防止する円状の保持体１９ａを設けて注ぎ口１を構成し、これを図１６に示すように容器２０の開孔した上部傾斜面に装着している。
【００１８】
図１７（ａ），（ｂ）に示すように引張操作部６の引掛軸１９部分を掴んで後方上側に引っ張ると、弁部４の一部が上方に変位して通路３が開放される。この状態で引張操作部６を後方下側に更に引っ張って引掛軸１９を各引掛片１８に引っ掛けると通路３の開放状態が保持され、引張操作部６を操作することなく注ぎ出しが可能となる。注ぎ後は引掛軸１９を引掛片１８から外すことで弁部４の復元力による付勢で通路３が閉鎖される。
その他、符号、構成は実施例１の容器の注ぎ口構造と同じである。
【００１９】
【発明の効果】
以上説明したように、本発明によれば注ぎ中に弁部の開放操作を行うことなく楽な注ぎ出しを可能とする容器の注ぎ口構造を提供できる。
【図面の簡単な説明】
【図１】実施例１の注ぎ口の斜視図である。
【図２】図１のＡ−Ａ断面図である。
【図３】実施例１の注ぎ口をジュース缶に装着した状態を示す斜視図である。
【図４】実施例１の注ぎ口の使用状態を示す説明図である。
【図５】実施例２の注ぎ口の斜視図である。
【図６】図５のＡ−Ａ断面図である。
【図７】実施例２の注ぎ口をペットボトルに装着した状態を示す斜視図である。
【図８】実施例２の注ぎ口の使用状態を示す説明図である。
【図９】実施例３の注ぎ口の斜視図である。
【図１０】図９のＡ−Ａ断面図である。
【図１１】実施例３の注ぎ口を一斗缶に装着した状態を示す斜視図である。
【図１２】実施例３の注ぎ口の使用状態を示す説明図である。
【図１３】実施例３の注ぎ口の使用状態を示す説明図である。
【図１４】実施例４の注ぎ口の斜視図である。
【図１５】図１４のＡ−Ａ断面図である。
【図１６】実施例４の注ぎ口を飲料用紙パックに装着した状態を示す斜視図である。
【図１７】実施例４の注ぎ口の使用状態を示す説明図である。
【図１８】従来の注ぎ口の斜視図である。
【図１９】従来の注ぎ口の使用状態を示す説明図である。
【符号の説明】
１　注ぎ口
１ａ　硬質部
１ｂ　軟質部
２　吐出口
３　通路
４　弁部
５　縁片
６　引張操作部
６ａ　掴み部
７　掛止片
８　嵌着部
９　容器
１０　ピン
１１　ピン孔
１２　螺刻部
１３　容器
１４　掛止受板
１５　掛止孔
１５ａ　横開孔部
１５ｂ　縦開孔部
１６　掛止片
１７　容器
１８　引掛片
１９　引掛軸
１９ａ　保持体
２０　容器
２１　注ぎ口
２２　吐出口
２３　通路
２４　弁部
２６　引張操作部
Ｗ　液体
【図１】
2004042912.tif 000003
【図２】
2004042912.tif 000004
【図３】
2004042912.tif 000005
【図４】
2004042912.tif 000006
【図５】
2004042912.tif 000007
【図６】
2004042912.tif 000008
【図７】
2004042912.tif 000009
【図８】
2004042912.tif 000010
【図９】
2004042912.tif 000011
【図１０】
2004042912.tif 000012
【図１１】
2004042912.tif 000013
【図１２】
2004042912.tif 000014
【図１３】
2004042912.tif 000015
【図１４】
2004042912.tif 000016
【図１５】
2004042912.tif 000017
【図１６】
2004042912.tif 000018
【図１７】
2004042912.tif 000019
【図１８】
2004042912.tif 000020
【図１９】
2004042912.tif 000021